(57)【要約】【課題】取付工事が容易で取付状態が良く寸法が統一されてコスト低減の図られた吸音ユニットを提供する。【解決手続】吸音ユニットは、多孔板部分７１及び縁板部分７２を備えていて吸音体１が入れられたケース７並びに嵌合構造部５を形成し縁板部分７２に取り付けられた嵌合板８を備えた吸音パネル２と、壁面１００に固定される枠体４及び前記嵌合構造部５を形成するように枠体４の上下端部に設けられた溝状部６を備えた取付部材３と、を有する。【効果】壁面に取付部材３を簡単に取り付けて、これに嵌合構造部を介して吸音パネルを簡単に装着することができる。取付場所に関係なく吸音パネルの取付部の寸法が同じになり、コスト低減を図ることができる。【選択図】        図１
2004339877.tif 000002
【特許請求の範囲】
【請求項１】
吸音体を備えた本体部と壁面に固定され前記本体部が装着される取付部材とを備えた吸音ユニットにおいて、
前記取付部材は、前記壁面に固定される四角形状の枠体と、前記本体部が嵌め込みによって装着される嵌合構造部を形成するように前記枠体の上下端部に幅方向に形成された嵌合構造枠側部分と、を有し、
前記本体部は、表面側の多孔板部分と裏面側の縁板部分とを備え前記枠体より大きい寸法になっていて前記吸音体が入れられた成形用部材と、前記嵌合構造部を形成し前記取付部材に嵌め込みによって装着されるように前記縁板部分に取り付けられた嵌合構造本体側部分と、を有する、
ことを特徴とする吸音ユニット。
【請求項２】
前記嵌合構造本体側部分は樹脂材でできていて、前記嵌合構造枠側部分は金属製であることを特徴とする請求項１に記載の吸音ユニット。
【請求項３】
前記嵌合構造本体側部分の前記幅方向の寸法と前記嵌合構造枠側部分の前記幅方向の寸法とは前記本体部の前記幅方向の取付位置の調整を可能にするように寸法差を有することを特徴とする請求項１に記載の吸音ユニット。
【発明の詳細な説明】
【０００１】
【発明の属する技術分野】
本発明、吸音体を備えた本体部と壁面に固定され前記本体部が装着される取付部材とを備えた吸音ユニットに関し、特に一般住宅のピアノ室、オーディオ室等の屋内設置型の吸音ユニットとして好都合に利用される。
【０００２】
【従来の技術】
従来の通常の吸音パネルは、産業用として製造されているため、建築施工者側の標準によって設置された建築物の取付枠に取り付けられていた。そのため、種々の寸法に形成された取付枠に適合するように、吸音パネルの取付部分を種々の寸法に製作する必要があり、この部分の標準化が図られず設計及び製作に余分の時間や費用がかかっていた。又、取付部分の構造自体も複雑なものであった。
【０００３】
一方、壁面への吸音パネルの取付を容易にした吸音パネル取付構造としては、壁面に取り付けられる吸音パネルの上下端の取付位置に、断面がＨ形状の取付部材のＨの一方側の縦部分を固定し、吸音パネルの上下端位置にＨの他方側の上下側部分を嵌め込むように溝を形成すると共に、裏面側の中央部分に横方向にＶ形の切欠きを設けて吸音パネルを曲がりやすくし、吸音パネルを曲げて上下端間の距離を短縮してＨ形状の取付部材に溝を嵌め込むようにした吸音パネルの取付構造が提案されている。（特許文献１参照）
しかしながら、このような取付構造では、取付部材が上下で別体になっているため、その壁面への取付工事が多くなると共に、上下の取付部材間の距離や平行度や横方向位置等の全体に対する取付精度を維持することが難しくなり、一般住宅の壁面への適用には不適当であるという問題がある。又、Ｖ溝部分が吸音パネルの構造的欠陥になったり、取付時に曲げたときに曲げ歪みが残って吸音パネルが取付部材から外れやすくなるという問題がある。
【０００４】
【特許文献１】
特開平８−３０２９５７号公報（図１、３及び関連説明）
【０００５】
【発明が解決しようとする課題】
そこで本発明は、従来技術における上記問題を解決し、取付工事が容易で、取付状態が良く、本体部に構造的欠陥がなく、寸法が統一されてコスト低減の図られた吸音ユニットを提供することを課題とする。
【０００６】
【課題を解決するための手段】本発明は上記課題を解決するために、請求項１の発明は、吸音体を備えた本体部と壁面に固定され前記本体部が装着される取付部材とを備えた吸音ユニットにおいて、
前記取付部材は、前記壁面に固定される四角形状の枠体と、前記本体部が嵌め込みによって装着される嵌合構造部を形成するように前記枠体の上下端部に幅方向に形成された嵌合構造枠側部分と、を有し、
前記本体部は、表面側の多孔板部分と裏面側の縁板部分とを備え前記枠体より大きい寸法になっていて前記吸音体が入れられた成形用部材と、前記嵌合構造部を形成し前記取付部材に嵌め込みによって装着されるように前記縁板部分に取り付けられた嵌合構造本体側部分と、を有する、
ことを特徴とする。
【０００７】
請求項２の発明は、上記に加えて、前記嵌合構造本体側部分は樹脂材でできていて、前記嵌合構造枠側部分は金属製であることを特徴とする。
【０００８】
請求項３の発明は、請求項１の発明の特徴に加えて、前記嵌合構造本体側部分の前記幅方向の寸法と前記嵌合構造枠側部分の前記幅方向の寸法とは前記本体部の前記幅方向の取付位置の調整を可能にするように寸法差を有することを特徴とする。
【０００９】
【発明の実施の形態】
図１及び図２は本発明を適用した吸音ユニットの吸音パネル及び取付部材の構成例を示す。
吸音ユニットは、その一部分だけを示しているグラスウール等の吸音材１１を再生ポリエステル繊維からなる不織布等の被覆材１２で包んだ吸音体１を備えた本体部としての吸音パネル２と、壁面１００に固定され吸音パネル２が装着される取付部材３とを備えている。
【００１０】
取付部材３は、壁面１００に固定される四角形状の枠体４と、吸音パネル２が嵌め込みによって装着される嵌合構造部５を形成するように枠体４の上下端部に幅方向であるＸ方向に設けられた嵌合構造枠側部分としての溝状部６と、を有する。溝状部６は、図２（ｂ）にも示す如く、本例では、枠体４の上下の左右連結板部分４１とこれに連続した折り曲げ部４２とで形成されている。
【００１１】
このような枠板４は、本例では金属製として亜鉛メッキ塗装鋼板で作られている。その大きさは、吸音パネル２の大きさに対応した大きさにされるが、幅Ｂ１  ＝２５０〜４００ｍｍ、高さＨ１  ＝１．５〜２ｍ程度にされる。符号４３は補強用のリブである。又、符号４４は、枠板４を壁面１００に取り付けるためのねじ用穴であり、通常、図２の実線の丸で示すように、上下及びその中間部分（図示せず）に両側で合計６箇所に設けられる。壁面１００の裏に桟がありこの部分にねじ止めする必要があるときには、二点鎖線の丸で示すように、６箇所のねじ穴４４のそれぞれの上下方向に２〜３箇所余分に穴を明け、ねじ穴４４を桟の位置に合わせやすいようにしておく。全製品をこのように穴の多いもので統一してもよい。
【００１２】
吸音パネル２は、表面側の多孔板部分７１と裏面側の縁板部分７２とを備えていて前記吸音体１が入れられた成形用部材としてのケース７と、前記嵌合構造部５を形成し取付部材３に嵌め込みによって装着されるように縁板部分７２に取り付けられた嵌合構造本体側部分としての嵌合板８と、を有する。符号９は吸音体１の上下を覆うカバー部材である。このような吸音パネル２は、通常の構造に嵌合板８を追加しているだけのものであるから、パネルに構造的欠陥を生じさせないと共に、パネルを補強する効果を有する。
【００１３】
ケース７も本例では枠板４と同じ材料である亜鉛メッキ塗装鋼板で作られていて、その外形は前記枠体４より大きい寸法になっている。即ち、ケース７は、幅Ｂ２  ＝３００〜４５０ｍｍで高さＨ２  ＝１．８〜３．６ｍ程度の大きさのものにされる。吸音パネル２の厚みＴは５０〜１００ｍｍ程度である。例えば高さ×幅×厚みが２４００ｍｍ×３００ｍｍ×５０ｍｍのものの質量は８．５ｋｇである。
【００１４】
嵌合板８は、ケース７と同じ材料の金属製であってもよいが、本例では、ケース７より厚みが厚く金属より柔軟性のある樹脂材でできていて、ケース７の縁板部分７２には図示していないがねじ止めによって結合されている。そして、図２（ｃ）及び（ｂ）に嵌合構造部５を拡大して示すように、嵌合板８の厚みｔを溝状部６の幅ｂに近くこれより１ｍｍ程度小さくすると共に、その先端を傾斜面８１にして、嵌合板８が溝状部６に入りやすいと共に、入った後には吸音パネル２の取付位置を保持できるようにしている。
【００１５】
嵌合構造部５の幅Ｘ方向の寸法としては、本例の吸音ユニットでは、溝状部６のＸ方向の寸法Ｌ１  と嵌合板８の同方向の寸法Ｌ２  とが、吸音パネル２のＸ方向の取付位置の調整を可能にするように寸法差ｃを有するように定められている。これらの寸法及び寸法差としては、本例では、Ｌ１  ＝２３０ｍｍ、Ｌ２  ＝２５０ｍｍ、ｃ＝２０ｍｍにされている。このようにすれば、複数の吸音パネル２を横方向に隙間なく配列するような場合に、枠体４の横方向の取付位置の精度を上げなくても、吸音パネル２の位置調整により、複数の吸音パネル２を容易に接触させて目的とする位置に精度良く取り付けることができる。
【００１６】
なお、複数の吸音パネル２を横方向に１分離して取り付けたり、吸音パネル２が１組だけ設けられるような場合には、寸法差ｃを部材の寸法誤差に対応できる程度の値として２〜３ｍｍ位にしてもよい。
【００１７】
以上のような吸音ユニットは、次のように取り扱われてその作用効果を発揮する。
まず壁面１００に取付部材３を固定する。吸音パネル２で例えば幅Ｂ２  が３００ｍｍ又は４５０ｍｍのものでは、吸音性能の点等から標準的には、壁面の幅Ｘ方向にそれぞれ約４５０ｍｍ又は６００ｍｍピッチで取り付けられる。従って、取付部材３の枠体４を壁面１００のそのように定められた位置に接触させ、一箇所のねじ穴４４の部分をねじで締め付けて仮固定し、枠板４の四辺の周囲がそれぞれ水平及び垂直になるように枠板４の取付状態を微調整し、他のねじ穴４４の部分をねじで取り付け、全体のねじを締めて取付を完了する。
【００１８】
この場合、枠板４の質量は１ｋｇ程度で軽いので、この取付作業は、ねじ回しさえあれば、誰にでも又一人でもできる容易な作業である。なお、特に必要ではないが、溝状部６を形成している折り曲げ部４２の上端に簡単な水準器をおいてその部分の水平度を確認したり、糸に重りを付けて上から垂らして枠板４の縦縁の垂直度を見て、枠板４の取付姿勢を更に調整するようにしてもよい。
【００１９】
枠板４の取付が完了すると、次に吸音パネル２を取り付ける。このときには、まず吸音パネル２を持ってその裏面側を枠板４に当てて上から下にずらす。これにより、通常、吸音パネル２の嵌合板８が取付部材３の溝状部６内に少し嵌まって停止する。即ち、上下の嵌合板８の先端が傾斜面８１になっているので、この部分が上下の溝状部６内に嵌まり込む。ところが、吸音パネル２のケース７の縁板部分７２に不可避的に生じている多少の面歪みにより、その状態では嵌合板８が溝状部６内に完全には入らないことが多い。
【００２０】
そのため、次の操作として、吸音パネル２を揺さぶりながら少し力を入れて下に押し下げ、嵌合板８の先端を溝状部６の底まで押し込む。これにより、吸音パネル２は、上下の嵌合板８と溝状部６との嵌合によって位置保持可能な状態に取り付けられる。なお、ケース７の歪みがある程度大きいような場合には、上記の嵌合状態がなかなか得られないことがあるので、そのようなときには、木槌によって吸音パネル２の上端のカバー部材９を軽く叩き、十分押し込んで取付状態の良い嵌合を完成させる。
【００２１】
この場合、嵌合板８を樹脂材にしているので、樹脂材にはある程度自己潤滑性があって滑り易く、又多少柔軟性があるため、嵌合板８が溝状部６内に入りやすい。そのため、金属同士の場合にはこじれたり引っかかって嵌合不能になるおそれがあるが、そのような不具合が確実に防止される。そして、嵌合部の寸法差である前記幅ｂと厚みｔとの差を小さくし、吸音パネル２が簡単に動くことのない良好な嵌合状態にすることができる。
【００２２】
吸音ユニットを一応装着すると、必要に応じて、枠板４の取付時と同様に、水準器等を使用して吸音パネル２の取付状態を確認し、木槌等でその取付位置を修正するようにしてもよい。又、目視で確認して位置修正をしてもよい。
【００２３】
上記において、通常の住宅用の吸音パネル２の質量は８．５ｋｇ程度であるから、この嵌め込みによる取付作業も誰にでも又一人でもできる容易な作業である。従って、取付部材３と吸音パネル２とを分離した構造にして、簡単な２作業を組み合わせたことにより、全体の取付作業を早く且つ容易な作業にすることができた。なお、取付作業に特別な道具は必要ではないが、上記のように木槌があれば便利である。木槌がない場合には、布切れ等を表面保護材にして、大き目の金槌でその部分を軽く叩くようにすればよい。
【００２４】
以上のような吸音ユニットによれば、吸音パネル２と取付部材３とを、同じ吸音パネル２に対して１つの組合せにして、その組合せでは、取付場所に関係なく全て同じ寸法のものを製作できるので、生産性が良くなると共に、誰でも取り付けられるため取付のための特別な工事費用が不要になり、吸音パネルの設置のための全体のコストを大幅に低減させることができる。
【００２５】
又、取付部材３の寸法Ｂ１  ×Ｈ１  よりも吸音パネル２のケース７の寸法Ｂ２  ×Ｈ２  を大きくしているので、取付部材３が吸音パネル２の周辺から壁面１００上に出て来ない。その結果、吸音パネル２を左右又は上下に並設するようなときに、それぞれの取付部材３の干渉を防止できると共に、表面側から取付部材が見えなくなって吸音ユニットの壁面への取付状態の外観がよくなる。
【００２６】
本発明を適用した吸音ユニットは、以上の如く簡易に取り付けられるので、新築や既存の一般住宅で防音する必要のある室に好都合に使用される。この場合、吸音ユニットは、大きさ、重量、販売価額等の点で、いわゆるホームセンターのような建築資材も販売している大型雑貨店等において販売可能なものであるから、新築又は既存住宅において必要になったときに、その住宅の使用者が吸音ユニットを手軽に購入し、簡単に取り付けて防音室を完成させることができる。従って、本発明は極めて実用価値の高いものである。
【００２７】
図３は嵌合構造部分の他の例を示す。
本例の嵌合構造部５’は、枠体４の上下端の枠側嵌合板４５と、吸音パネル２の縁板部分７２に取り付けられたパネル側溝１０を形成しているパネル側溝部材１０ａとを備えた構成になっている。この嵌合構造部５’を備えた吸音ユニットも、図１、２のものと同様の作用効果を有する。
【００２８】
【発明の効果】
以上の如く本発明によれば、請求項１の発明においては、本体部と取付部材とで吸音ユニットを構成しているので、本体部としての吸音パネルの取付部分を含めた各部寸法をそれぞれの取付先ごとに変更する必要なくなるため、吸音パネルの構造や寸法を統一してコスト低減を図ることができる。
【００２９】
又、取付部材が壁面に固定される四角形状の枠体を有するので、枠体は軽いためこれを壁面に複数箇所でネジ等によって容易に取り付けることができる。又、壁面にその面材を取り付けている裏板があるようなときには、通常、枠体の複数箇所が裏板に対向する位置になるので、その位置で枠体を壁面にネジ止めすることにより、枠板を強固に取り付けることができる。
【００３０】
又、嵌合構造本体側部分と嵌合構造枠側部分とで嵌合構造部を形成し、本体部が取付部材に嵌め込みによって装着されるようにしているので、簡単なワンタッチ的取り扱いに近い作業により、本体部を取付部材に取り付けて吸音ユニットを完成させることができる。
【００３１】
更に、本体部の成形用部材を取付部材の枠体より大きい寸法にしているので、取付部材が本体部の周辺から壁面上に露出しない。その結果、吸音ユニットを左右又は上下に接触させて並設するようなときに、取付部材同士の干渉を防止できると共に、表面側から取付部材が見えなくなって吸音ユニットの壁面への取付状態の外観がよくなる。
【００３２】
又、嵌合構造枠側部分が取付部材の枠体の上下端部に幅方向に設けられているので、上下に二列になった嵌合構造部によって取付部材を介して本体部を壁面に安定して取り付けることができる。そして、枠体を上下方向に最小寸法にすることができる。又、嵌合構造部を形成する嵌合構造本体側部分は成形用部材の裏側の縁板部分に取り付けられているので、本体部に構造的欠陥を生じさせないだけでなく、本体部を補強する効果を有する。
【００３３】
請求項２の発明においては、嵌合構造本体側部分を樹脂材にして、取付部材を金属製にしているので、樹脂材の多少の自己潤滑性による滑り易さと僅かな柔軟性とにより、嵌合構造の本体側部分と枠側部分との間の嵌合を容易にすると共に、嵌合部の寸法差を小さくして本体部が簡単に動くことのないように嵌合状態を良好にすることができる。この場合、金属同士の嵌合では、こじれたり引っかかって挿入不能になるおそれがあるが、そのような不具合が確実に防止される。
【００３４】
請求項３の発明においては、嵌合構造本体側部分の幅方向の寸法と嵌合構造枠側部分の幅方向の寸法とが本体部の幅方向の取付位置の調整を可能にするように寸法差を有するので、取付部材の幅方向の取付位置の精度をそれ程問題にする必要がなくなり、壁面への本体部の取付を容易にすることができる。即ち、取付部材の幅方向の取付精度が不十分であった場合でも、寸法差である調整寸法により、本体部を幅方向にある程度移動させ、複数個の吸音ユニットが取り付けられるときに、吸音ユニットを壁面にバランス良く配置することができる。特に、吸音ユニットを幅方向に接触させて並設するときには、相互の横方向間隔を十分詰めて、全体として隙間がなく、性能及び外観の良い吸音構造にすることができる。
【図面の簡単な説明】
【図１】本発明を適用した吸音ユニットの吸音パネルの構成例を示し、（ａ）は横断面図、（ｂ）及び（ｃ）はそれぞれ中間部分を省略して示している正面図及び縦断面図である。
【図２】（ａ）乃至（ｃ）はそれぞれ、上記吸音ユニットの取付部材の斜視図、その溝状部を示す縦断面図及び溝状部に嵌合板を嵌め込んだ状態を示す縦断面図である。
【図３】上記吸音ユニットの嵌合構造部の他の例を示す縦断面図である。
【符号の説明】
１            吸音体
２            吸音パネル（本体部）
３            取付部材
４            枠体
５            嵌合構造部
６            溝状部（嵌合構造枠側部分）
７            ケース（成形用部材）
８            嵌合板（嵌合構造本体側部分）
７１          多孔板部分
７２          縁板部分
１００        壁面
ｃ            寸法差
Ｌ１            嵌合構造枠側部分の幅方向の寸法
Ｌ２            嵌合構造本体側部分の幅方向の寸法
Ｘ            幅方向
【図１】
2004339877.tif 000003
【図２】
2004339877.tif 000004
【図３】
2004339877.tif 000005